(57)【要約】      （修正有）【課題】携帯に便利で、しかも各種サイズのタブレットコンピューター及びポータブルタッチパネル電子製品に適用可能な電子装置サポート台を提供する。【解決手段】電子装置サポート台はサポートフレーム１及び固定台２からなり、サポートフレーム１の一端には、固定台２を可動状に接続する第一可動接続部１１を設置し、反対端には定位板３を可動状に接続する第二可動接続部１２を設置し、固定台２上には収容設置槽２０を設置し、収容設置槽２０内部には電子装置を挿入して設置し、これにより電子装置をテーブル面上に斜めに置く時、サポート台及び定位板３を回転させ、電子装置を支えることができ、電子装置の携帯時には、サポート台及び定位板３を回転させ、電子装置背面に平らに密着させることができる。【選択図】図１
0003169326.tif 000002
【実用新案登録請求の範囲】
【請求項１】
電子装置サポート台は、サポートフレーム、固定台からなり、
該サポートフレーム一端には、第一可動接続部を設置し、
該固定台は、該第一可動接続部に可動状に接続し、該固定台は、収容設置槽を備え、該収容設置槽内部に、電子装置を挿入して設置し、
これにより、該サポートフレームは、該電子装置に相対して回転可能となったことを特徴とする電子装置サポート台。
【請求項２】
前記第一可動接続部の表面にはさらに、複数の凹槽を設置し、
該固定台は、該第一可動接続部に可動状に接続する位置に、該凹槽に係合する複数の突起をさらに設置したことを特徴とする請求項１に記載の電子装置サポート台。
【請求項３】
前記サポートフレームは反対端にさらに、第二可動接続部を設置し、しかも定位板が、該第二可動接続部上に可動状に設置されたことを特徴とする請求項４に記載の電子装置サポート台。
【請求項４】
前記第二可動接続部は、サポートフレームの端面上にさらに、定位孔を設置し、
該定位板は、該第二可動接続部に可動状に接続する位置にさらに、該定位孔に係合する少なくとも１個の突起を設置したことを特徴とする請求項３に記載の電子装置サポート台。
【請求項５】
前記定位板は、停止部を延伸して設置し、これにより該定位板の回転位置を制限したことを特徴とする請求項３に記載の電子装置サポート台。
【請求項６】
前記サポートフレームは反対端にさらに、サポート板を設置したことを特徴とする請求項１に記載の電子装置サポート台。
【考案の詳細な説明】
【技術分野】
【０００１】
本考案は電子装置サポート台に関し、特に携帯に便利で、しかも各種サイズのタブレットコンピューター及びポータブルタッチパネル電子製品に適用可能な電子装置サポート台に関する。
【背景技術】
【０００２】
タブレットコンピューター及びポータブルタッチパネル電子製品は、コンパクトで携帯に便利という長所を備える。
しかも、演算性能やバッテリーの使用時間が、大幅に向上している現在、この種の製品は既に市場で重要な地位を占めており、将来の主流製品になると予想される。
【０００３】
タブレットコンピューター及びポータブルタッチパネル電子製品では、長時間使用の利便性のため、使用者は、専用のサポートフレームを用い、該類製品をテーブル面上に斜めに立てて置く。
しかし、安定的なサポート効果を達成するため、従来の専用サポートフレームは、ある程度の重量とサイズがあり、携帯に不便であるという欠点がある。
【０００４】
さらに、該専用のサポートフレームの設計は、特定サイズのタブレットコンピューター及びポータブルタッチパネル電子製品にしか適用できないという欠点もある。
該サポートフレームよりサイズが大きいタブレットコンピューター及びポータブルタッチパネル電子製品を、該サポートフレームにセットするなら、タッチパネルの位置が専用サポートフレームからはみ出るため、タブレットコンピューター及びポータブルタッチパネル電子製品を倒してしまう。
【０００５】
また、該サポートフレームよりサイズが小さいタブレットコンピューター及びポータブルタッチパネル電子製品を、該サポートフレームにセットするなら、タブレットコンピューター及びポータブルタッチパネル電子製品を持ちにくく、或いは移動させにくい。
【０００６】
そのため、サイズが違うタブレットコンピューター及びポータブルタッチパネル電子製品は、単一の専用サポートフレーム上にしか使用することができない。
すなわち本考案は、従来の電子装置サポート台の上記した欠点に鑑み、電子装置サポート台を各種サイズのタブレットコンピューター及びポータブルタッチパネル電子製品上に適用可能とし、しかも携帯を容易にするため、なされたものである。
【先行技術文献】
【特許文献】
【０００７】
【特許文献１】特開２０１０−２４００８６号公報
【考案の概要】
【考案が解決しようとする課題】
【０００８】
本考案が解決しようとする第一の課題は、サポートフレームの一端に収容設置槽を備える固定台を可動状に設置し、しかもサポートフレームと固定台との間は、固定角度を調整可能な方式で相互に可動状に接続し、これにより電子装置を収容設置槽内に挿入して設置する時、サポートフレームは電子装置に相対して回転可能で、さらに電子装置を平面上に斜めに置く時にも、多種の角度で電子装置を支えることができる電子装置サポート台を提供することである。
本考案が解決しようとする第二の課題は、サポートフレームの反対端には定位板を可動状に設置し、しかもサポートフレームと定位板との間は、固定角度を調整可能な方式で相互に可動状に接続し、これによりサポートフレームが平面上で電子装置を支える時には、定位板とサポートフレームとの間の角度を調整することで、電子装置の平面上における傾斜角度を調整することができる電子装置サポート台を提供することである。
【課題を解決するための手段】
【０００９】
上記課題を解決するため、本考案は下記の電子装置サポート台を提供する。
電子装置サポート台は、サポートフレーム及び固定台からなり、
該サポートフレームの一端には、固定台を可動状に接続する第一可動接続部を設置し、反対端には、第二可動接続部を設置し、
該固定台上には、収容設置槽を設置し、該収容設置槽内部に、電子装置を挿入して設置し、これにより、該サポートフレームは、該電子装置に相対して回転可能となり、
実施時には、該第一可動接続部の表面にはさらに、複数の凹槽を設置し、該固定台は、該第一可動接続部に可動状に接続する位置に、該凹槽に係合する複数の突起をさらに設置し、
実施時には、定位板が、該第二可動接続部上に可動状に設置され、
実施時には、該第二可動接続部は、サポートフレームの端面上にさらに、定位孔を設置し、該定位板は、該第二可動接続部に可動状に接続する位置にさらに、該定位孔に係合する少なくとも１個の突起を設置し、
実施時には、該定位板は、停止部を延伸して設置し、これにより該定位板の回転位置を制限する。
【考案の効果】
【００１０】
本考案の電子装置サポート台は、必要に応じて、電子装置周辺における設置位置を改変でき、これによりタッチパネル使用時の力が過大なことが原因で起きる電子装置の転覆を回避可能で、電子装置を安定的にテーブル面上に斜めに置くことができる。さらに、サポートフレームと固定台との間の固定角度を改変することで、電子装置のテーブル面上での傾斜角度を調整し、視角にとって最適な見易い角度とすることができる。加えて、本考案はコンパクトかつ軽量で、携帯に便利であるため、各種サイズの電子装置にそのまま応用可能で、電子装置のもともとのハンドヘルド使用方式に影響を及ぼすことはなく、電子装置上に長時間設置しておくことができるため、実用性を向上させられる。
【図面の簡単な説明】
【００１１】
【図１】本考案第一実施例の分解模式図である。
【図２】図１に示す実施例の立体外観図である。
【図３】図１に示す実施例において、サポートフレームが固定台に相対して回転する時の作動模式図である。
【図４】図１に示す実施例において、定位板がサポートフレームに相対して回転時する時の作動模式図である。
【図５】図１に示す実施例の電子装置サポート台を、電子装置の両側に設置する時の外観模式図である。
【図６】図１に示す実施例の電子装置サポート台を、電子装置の上側辺に設置する時の外観模式図である。
【図７】図１に示す実施例の電子装置サポート台を、電子装置の上側辺に設置する時の背面外観模式図である。
【図８】本考案第二実施例の立体外観図である。
【図９】本考案第三実施例の立体外観図である。
【考案を実施するための形態】
【００１２】
以下に図面を参照しながら本考案を実施するための最良の形態について詳細に説明する。
【実施例】
【００１３】
図１、２に示すように、本考案電子装置サポート台の第一実施例は、両端にそれぞれ第一可動接続部11と第二可動接続部12を設置するサポートフレーム1、ややU型を呈し、その上に収容設置槽20を形成する固定台2、一端に凸部31を設置する定位板3からなる。
【００１４】
該第一可動接続部11は、２個の凸部111を備え、該２個の凸部111の間には、収容設置空間を形成する。
【００１５】
該各凸部111の外表面には、連続して配列する複数の凹槽112を設置し、しかも該各凸部111には、軸方向の穿孔113を設置する。
【００１６】
該第二可動接続部12は、２個の凸部121を備え、該２個の凸部121の間には、収容設置空間を形成し、しかも該各凸部121には、軸方向の穿孔122を設置する。
【００１７】
該第二可動接続部12は、該２個の凸部121の間のサポートフレーム1端面位置に、定位孔123を設置する。
【００１８】
該固定台2の片方の外側面の中央位置には、凸部21を設置し、該凸部21は、軸方向の穿孔211を備える。
【００１９】
これにより、該凸部21を、該第一可動接続部11の２個の凸部111の間に挿入して設置する時、挿入ピン22により該各凸部21、111の穿孔211、113に挿入し、該固定台2を、サポートフレーム1上に可動状に接続する。
【００２０】
これにより、該サポートフレーム1は、該固定台2に相対して回転可能となる(図３参照)。
【００２１】
さらに、該固定台2は、凸部21の左右両側に、それぞれ突起23を設置し、これにより該凸部21を、第一可動接続部11の２個の凸部111の間に挿入して設置する時、どちらか一方の凸部111上の凹槽112に係合し、該固定台2と該サポートフレーム1との間の相対位置を固定する。
【００２２】
該凸部31は、軸方向の穿孔311を備え、該定位板3の凸部31を、該第二可動接続部12の２個の凸部121の間に挿入して設置する時、挿入ピン32により、該各凸部31、121の穿孔311、122に挿入し、該定位板3を、サポートフレーム1上に可動状に接続する。
【００２３】
これにより、該定位板3は、該サポートフレーム1に相対して回転可能となる(図４参照)。
【００２４】
該凸部31の表面には、該第二可動接続部12の定位孔123に係合する複数の突起312を設置し、該凸部31を、該第二可動接続部12の２個の凸部121の間に挿入して設置する時、どちらか一方の突起312は、該定位孔123に係合し、該定位板3と該サポートフレーム1の間の相対位置を固定する。
【００２５】
さらに、該定位板3は該凸部31の片側に、停止部を延伸し、該定位板3を回転させる時、該定位板3をサポート板1のどちらか片側面に制限する。
【００２６】
実施時には、電子装置4(タブレットコンピューター或いはポータブルタッチパネル電子製品など)の左右両側辺を、本考案電子装置サポート台の収容設置槽20内にそれぞれ挿入(図５参照)し、或いは該電子装置4片側辺上の左右両端位置に、本考案電子装置サポート台の収容設置槽20をそれぞれ挿入(図６参照)する。
【００２７】
さらに、該サポートフレーム1及び定位板3を適当な角度まで回転させ、こうして本考案電子装置サポート台は、該電子装置を、テーブル面の平面上などで安定的に支えることができる。
【００２８】
本考案電子装置サポート台を設置した電子装置4を携帯する時には、サポートフレーム1及び定位板3を回転させ該電子装置4の背面に平らに密着させることができる(図７参照)。
【００２９】
図８に示すように、本考案電子装置サポート台の第二実施例は、第一実施例の構造を基礎とし、サポートフレーム上の第一可動接続部11に相対する反対端に、サポート板5を設置し、しかも該サポート板5は、サポートフレーム1に垂直に、サポートフレーム1の末端に設置する。
【００３０】
これにより、本考案電子装置サポート台が、テーブル面上において電子装置を斜めに支える時、サポートフレームとテーブル面との接触面積を拡大し、こうしてサポートの安定性を向上させることができる。
【００３１】
図９に示すように、本考案電子装置サポート台の第三実施例では、第一実施例の構造を基礎とし、該サポートフレーム1の一端は、固定台2と相互に可動状に接続する。
【００３２】
サポートフレーム1の反対端は、板状構造を呈し、これにより、本考案電子装置サポート台を設置した電子装置4を携帯する時には、サポートフレームを、電子装置背面に平らに密着させることができる。
【００３３】
上記したように、本考案は以下の長所を備える。
1.本考案は必要に応じて、それの電子装置周辺における設置位置を改変でき、これによりタッチパネル使用時の力が過大なことが原因で起きる電子装置の転覆を回避可能で、電子装置を安定的にテーブル面上に斜めに置くことができる。
2.本考案は、サポートフレームと固定台との間の固定角度を改変することで、電子装置のテーブル面上での傾斜角度を調整し、視角にとって最適な見易い角度とすることができる。
3.本考案はコンパクトかつ軽量で、携帯に便利であるため、各種サイズの電子装置にそのまま応用可能で、電子装置のもともとのハンドヘルド使用方式に影響を及ぼすことはなく、電子装置上に長時間設置しておくことができるため、実用性を向上させられる。
【００３４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３５】
本考案は各種サイズのタブレットコンピューター及びポータブルタッチパネル電子製品に応用可能で、しかも携帯しての使用に便利であるため、本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
1  サポートフレーム
11  第一可動接続部
111  凸部
112  凹槽
113  穿孔
12  第二可動接続部
121  凸部
122  穿孔
123  定位孔
2  固定台
20  収容設置槽
21  凸部
211  穿孔
22  挿入ピン
23  突起
3  定位板
31  凸部
311  穿孔
312  突起
32  挿入ピン
4  電子装置
5  サポート板
【図１】
0003169326.tif 000003
【図２】
0003169326.tif 000004
【図３】
0003169326.tif 000005
【図４】
0003169326.tif 000006
【図５】
0003169326.tif 000007
【図６】
0003169326.tif 000008
【図７】
0003169326.tif 000009
【図８】
0003169326.tif 000010
【図９】
0003169326.tif 000011
【手続補正書】
【提出日】平成23年5月19日(2011.5.19)
【手続補正１】
【補正対象書類名】実用新案登録請求の範囲
【補正対象項目名】請求項３
【補正方法】変更
【補正の内容】
【請求項３】
前記サポートフレームは反対端にさらに、第二可動接続部を設置し、しかも定位板が、該第二可動接続部上に可動状に設置されたことを特徴とする請求項１に記載の電子装置サポート台。